(57)【要約】【課題】  遊技機における制御基板のうち電線接続用コネクタを装着した部分に不正が行われないようにするプロテクタを提供する。【解決手段】  本発明のプロテクタ１０は、コネクタ５と制御基板１との間に挟持されて固定され、制御基板１の表面のうちコネクタ５の周囲の部分を所定の範囲にわたって覆う。これにより、制御基板１を覆うカバー３とコネクタ５との間の隙間７から不正な工具等８が挿入されても、コネクタ５の近傍において制御基板１の表面に配置されているプリント配線等２に触れることができない。【選択図】  図２
2006246939.tif 000002
【特許請求の範囲】
【請求項１】
遊技機の作動を制御する制御基板のうち電線接続用のコネクタを装着した部分を保護するためのプロテクタであって、
前記コネクタと前記制御基板との間に挟持されるとともに、前記コネクタの全周にわたって前記コネクタの外周部分から所定距離だけ離間した位置まで延在して前記制御基板の表面を覆う本体部分を有することを特徴とする遊技機用制御基板のプロテクタ。
【請求項２】
前記本体部分は、前記制御基板の表面に密着する板状に形成されていることを特徴とする請求項１に記載した遊技機用制御基板のプロテクタ。
【請求項３】
前記コネクタを前記制御基板に取り付けるまでの間に前記本体部分を前記コネクタに保持するための保持手段をさらに有することを特徴とする請求項１または２に記載した遊技機用制御基板のプロテクタ。
【請求項４】
前記保持手段は、前記コネクタから突出する棒状端子が内嵌する、前記本体部分に貫設された貫通孔であることを特徴とする請求項３に記載した遊技機用制御基板のプロテクタ。
【請求項５】
前記コネクタの底部が内嵌する嵌合凹部が前記本体部分に凹設されていることを特徴とする請求項１乃至４のいずれかに記載した遊技機用制御基板のプロテクタ。
【請求項６】
前記本体部分の周縁に沿って立設された縦壁部分をさらに有することを特徴とする請求項１乃至５のいずれかに記載した遊技機用制御基板のプロテクタ。
【請求項７】
前記制御基板を覆うカバーと係合する係合部分をさらに有することを特徴とする請求項１乃至６のいずれかに記載した遊技機用制御基板のプロテクタ。
さらに、請求項８に記載した手段は、請求項７に記載したプロテクタにおいて、
【請求項８】
前記係合部分が前記縦壁部分の先端に突設されていることを特徴とする請求項７に記載した遊技機用制御基板のプロテクタ。
【発明の詳細な説明】
【技術分野】
【０００１】
本発明は、パチンコ等の遊技機における制御基板のためのプロテクタに関し、より詳しくは、制御基板のうち電線接続用コネクタを装着した部分に不正が行われないように保護するプロテクタに関する。
【背景技術】
【０００２】
従来、パチンコ等の遊技機にはその作動を制御するための制御基板が設けられているが、これらの制御基板の表面に配置されているＲＯＭ，ＩＣ，プリント配線等に対して不正な行為が行われないように、制御基板にはカバーが装着されるようになっている（例えば、下記特許文献１を参照）。
【０００３】
このような不正防止構造について図７を用いて概説すると、制御基板１の表面にはプリント配線２等が配設されているが、その上方にはカバー３が装着され、プリント配線２等に対して不正な行為が行われることを防止している。
【０００４】
ところが、制御基板１に配線４を接続するために制御基板に固定されている雌コネクタ５あるいは雄コネクタ６は、カバー３を貫通して延びるため、カバー３のうち雌コネクタ５あるいは雄コネクタ６の周囲に隙間７が生じてしまう。
これにより、この隙間７に不正な工具８等を挿入してプリント配線２を切断したり、雌コネクタ５の端子５ａのうちコネクタ本体５ｂの底面と制御基板１との間の隙間に露出している部分に不正な配線を接続したりする、様々な不正行為が行われる可能性があった。
【０００５】
そこで、下記特許文献２に記載されているカバーにおいては、コネクタとの接続のために制御基板の表面に露出しているプリント配線を遮蔽するための遮蔽部分が一体に形成されている。
【０００６】
【特許文献１】特開平９−２２０３３３号公報
【特許文献２】特開平１１−３３１９４号公報
【発明の開示】
【発明が解決しようとする課題】
【０００７】
しかしながら、上記特許文献２に記載されているカバーは制御基板の全体を覆う大型のものであり、制御基板への取付位置がずれると遮蔽部分とコネクタとの間に隙間が生じ、制御基板上のプリント配線が露出するおそれがある。
また、制御基板にコネクタを装着する位置やコネクタの形状等に設計変更が生じると、大型カバーの形状も合わせて変更せざるを得ず、カバーを射出成形するための金型を改修する費用や日数がかさむことになる。
【０００８】
そこで本発明の目的は、上述した従来技術が有する問題点を解消し、遊技機における制御基板のうち電線接続用コネクタを装着した部分に不正が行われないように制御基板を確実に保護できるばかりでなく、汎用性が高くて安価であり、かつ制御基板やコネクタに設計変更が行われても容易に対応できるプロテクタを提供することにある。
【課題を解決するための手段】
【０００９】
上記の課題を解決するための請求項１に記載した手段は、
遊技機の作動を制御する制御基板のうち電線接続用のコネクタを装着した部分を保護するためのプロテクタであって、
前記コネクタと前記制御基板との間に挟持されるとともに、前記コネクタの全周にわたって前記コネクタの外周部分から所定距離だけ離間した位置まで延在して前記制御基板の表面を覆う本体部分を有することを特徴とする。
【００１０】
すなわち、請求項１に記載した遊技機用制御基板のプロテクタは、コネクタと制御基板との間に挟持されて固定され、制御基板の表面のうちコネクタの周囲の部分を所定の範囲にわたって覆うものである。
これにより、制御基板を覆うカバーとコネクタとの間の隙間から不正な工具等が挿入されても、コネクタの近傍において制御基板の表面に配設されているプリント配線等に触れることができないから、制御基板を確実に保護することができる。
また、請求項１に記載したプロテクタは、制御基板を覆うカバーとは別個のものであるとともに、制御基板に比較すると極めて小さいコネクタとほぼ同等の大きさに構成することができ、かつ同一のコネクタには同一のものを使用することができる。
これにより、汎用性が高くて安価であり、かつ制御基板やコネクタに設計変更が行われても容易に対応することができる。
なお、本体部分の形状は、平板状には限定されず、箱状とすることもできるし、波板状とすることもできるが、不正な工具によって容易に変形させたり孔を開けたりすることができない剛性、強度を有する形態のものとする。
【００１１】
また、請求項２に記載した手段は、請求項１に記載したプロテクタにおいて、前記本体部分が、前記制御基板の表面に密着する板状に形成されていることを特徴とする。
【００１２】
すなわち、請求項２に記載したプロテクタは、その本体部分が制御基板の表面に密着する板状に形成されるから、極めて簡単で安価な構造でありながら、制御基板の表面に配設されているプリント配線を確実に保護することができる。
なお、板状に形成する部分は、不正な工具によって容易に持ち上げられたり切り取られたりすることができない剛性、強度を有する形態、材料とする。
【００１３】
また、請求項３に記載した手段は、請求項１または２に記載したプロテクタが、前記コネクタを前記制御基板に取り付けるまでの間に前記本体部分を前記コネクタに保持するための保持手段をさらに有することを特徴とする。
【００１４】
すなわち、請求項３に記載したプロテクタによれば、制御基板に装着する前のコネクタに本体部分が保持されているので、制御基板へのコネクタおよびプロテクタの装着を容易に行うことができるばかりでなく、制御基板へのコネクタの装着と同時にプロテクタを制御基板上に固定することができる。
【００１５】
また、請求項４に記載した手段は、請求項３に記載したプロテクタにおいて、前記保持手段が、前記コネクタから突出する棒状端子が内嵌する、前記本体部分に貫設された貫通孔であることを特徴とする。
【００１６】
すなわち、請求項４に記載したプロテクタによれば、極めて簡単な構造でありながら、コネクタによるプロテクタの保持を確実に実行することができる。
なお、コネクタから突出している多数の棒状端子の全部ではなく、そのうちの数本のみを用いることとすれば、コネクタに対するプロテクタの取り付けを容易に行うことができる。
【００１７】
また、請求項５に記載した手段は、請求項１乃至４のいずれかに記載したプロテクタにおいて、前記コネクタの底部が内嵌する嵌合凹部が前記本体部分に凹設されていることを特徴とする。
【００１８】
すなわち、請求項５に記載したプロテクタにおいては、コネクタの底部が嵌合凹部の内側に嵌合しているので、コネクタの底面とプロテクタとの間の隙間を外側から見ることができない。
これにより、コネクタの底面とプロテクタとの間の隙間に不正な工具を挿入し、コネクタの端子に対して不正な行為を行うことができなくなるから、制御基板をより確実に保護することができる。
また、本体部分のうち、嵌合凹部を設けた部分の肉厚を薄くすることができるから、既存のコネクタへのプロテクタの装着も可能となる。
【００１９】
また、請求項６に記載した手段は、請求項１乃至５のいずれかに記載したプロテクタが、前記本体部分の周縁に沿って立設された縦壁部分をさらに有することを特徴とする。
【００２０】
すなわち、請求項６に記載したプロテクタにおいては、制御基板を覆うカバーとプロテクタの本体部分との間の隙間を縦壁部分によって塞ぐことができるから、制御基板をより一層確実に保護することができる。
【００２１】
また、請求項７に記載した手段は、請求項１乃至６のいずれかに記載したプロテクタが、前記制御基板を覆うカバーと係合する係合部分をさらに有することを特徴とする。
さらに、請求項８に記載した手段は、請求項７に記載したプロテクタにおいて、前記係合部分が前記縦壁部分の先端に突設されていることを特徴とする。
なお、係合部分は、例えば平板状の本体部分の表面に垂設した円柱と、カバーを貫通してこの円柱に螺合するネジとすることができる。
あるいは、縦壁部分の先端に突設した係合爪とすることもできる。
【００２２】
すなわち、請求項７および８に記載したプロテクタにおいては、制御基板を覆うカバーとプロテクタとを係合手段によって一体に結合するから、カバーをプロテクタの上方に持ち上げることができなくなる。
これにより、カバーとプロテクタとの間の隙間への不正な工具の挿入を完全に防止して、制御基板をさらに確実に保護することができる。
【発明の効果】
【００２３】
以上の説明から明らかなように、本発明によれば、遊技機における制御基板のうち電線接続用コネクタを装着した部分に不正が行われないように制御基板を確実に保護できるばかりでなく、汎用性が高くて安価であり、かつ制御基板やコネクタに設計変更が行われても容易に対応できるプロテクタを提供することができる。
【発明を実施するための最良の形態】
【００２４】
以下、図１乃至図６を参照し、本発明による遊技機用制御基板のプロテクタの各実施形態について詳細に説明する。
なお、以下の説明においては、同一の部分には同一の符号を用いて重複した説明を省略する。
【００２５】
第１実施形態
まず最初に図１乃至図４を参照し、第１実施形態のプロテクタについて説明する。
【００２６】
図１に示した本第１実施形態のプロテクタ１０は、耐熱性を有するとともに透明な、ポリカーボネート等の樹脂材料から射出成形した板状の部材である。
そして、その全長Ｌおよび全幅Ｗは、制御基板を覆うカバー３と雌コネクタ５との間に設定されている隙間７の寸法Ｓより十分に大きい値を、雌コネクタ５の全長および全幅にそれぞれ加算したものとなっている。
【００２７】
略矩形状の本体部分１１には、雌コネクタ５の本体部分５ｂの底部がその上に内嵌する嵌合凹部１２が凹設されている。
また、嵌合凹部１２の底面には、合計４個の貫通孔１３と、略矩形状の開口１４とがそれぞれ貫設されている。
【００２８】
このプロテクタ１０を使用する際には、最初に、雌コネクタ５の本体部分５ｂの底部にこのプロテクタ１０を装着する。
このとき、本体部分５ｂの底部が嵌合凹部１２に内嵌する。
同時に、雌コネクタ５の底面から下方に突出している多数の棒状端子５ａのうち、最も外側の４本の端子５ａが貫通孔１３にそれぞれ内嵌し、残りの端子５ａが中央の開口１４内に入り込む。
これにより、このプロテクタ１０は、雌コネクタ５に保持されて容易に脱落することがない。
【００２９】
プロテクタ１０が装着された状態の雌コネクタ５を制御基板１に取り付けるときには、雌コネクタ５の多数の棒状端子５ａを制御基板１の挿通孔１ａに挿通する。
次いで、制御基板１の裏面側に突出した各端子５ａの先端を、制御基板１の裏面に配設されている電線接続用のプリント配線１ｂにそれぞれハンダ１ｃで接続し、雌コネクタ５を制御基板１に固定する。
これにより、プロテクタ１０は、雌コネクタ５と制御基板１との間に挟持されて固定される。
【００３０】
このとき、プロテクタ１０が耐熱性を有する樹脂材料から成形されているから、ハンダ付けを実施するときの高熱により変形して、その本体部分１１が制御基板１の表面から浮き上がることはない。
また、プロテクタ１０が透明な樹脂材料から成形されているから、制御基板１の表面側に配設されている制御用のプリント配線２と雌コネクタ５との位置関係を容易に視認することができる。
【００３１】
また、制御基板１上に固定されたプロテクタ１０は、図２および図４に示したように、その板状の本体部分１１が制御基板１の表面に密着し、雌コネクタ５の周囲に配置されているプリント配線２を覆って保護する。
これにより、制御基板１を覆うカバー３と雌コネクタ５との間の隙間７に不正な工具８を挿入しても、プリント配線２に触れることができないから、制御基板を確実に保護することができる。
【００３２】
また、雌コネクタ５の本体部分５ｂの底部が、プロテクタ１０の嵌合凹部１２の内部に嵌合しているから、雌コネクタ５の底面とプロテクタ１０との間の隙間を外側から見ることができない。
これにより、雌コネクタ５の底面とプロテクタ１０との間の隙間に不正な工具を挿入することができないから、雌コネクタ５の端子５ａに対する不正な行為を確実に防止することができる。
【００３３】
第２実施形態
次に図５を参照し、第２実施形態のプロテクタについて説明する。
【００３４】
図５に示した第２実施形態のプロテクタ２０は、上述した第１実施形態のプロテクタ１０の本体部分１１の全周にわたって、その周縁に縦壁部分２１を垂設したものである。
そして、縦壁部分２１の高さは、その上端がカバー３の内面３ａに密着するように設定されている。
【００３５】
これにより、制御基板１を覆うカバー３とプロテクタ２０の本体部分１１との間の隙間を縦壁部分２１によって完全に塞ぐことができるから、制御基板１をより一層確実に保護することができる。
【００３６】
第３実施形態
次に図６を参照し、第３実施形態のプロテクタについて説明する。
【００３７】
図６に示した第３実施形態のプロテクタ３０は、上述した第２実施形態のプロテクタ２０における縦壁部分２１を隙間７を介してさらに上方に延設するとともに、その上端の各辺の一部にカバー３と係合する係合爪３１をそれぞれ形成したものである。
【００３８】
これにより、制御基板１を覆うカバー３は、プロテクタ３０の縦壁部分２１の上端に結合され、上方に持ち上げることができない。
したがって、カバー３とプロテクタ３０との間への不正な工具の挿入を完全に防止して、制御基板１をさらに確実に保護することができる。
【００３９】
以上、本発明による遊技機用制御基板のプロテクタの各実施形態ついて詳しく説明したが、本発明は上述した実施形態によって限定されるものではなく、種々の変更が可能であることは言うまでもない。
例えば、上述した各実施形態においては、プロテクタの本体部分の全体が一様な板状に形成されている。
これに対して、プロテクタの本体部分のうち、コネクタの周囲に位置する部分の形状は様々に変更することができる。例えば、凹凸を付けることによりその曲げ剛性高めて、不正な工具による変形操作に対する抵抗力を高めることができる。
【図面の簡単な説明】
【００４０】
【図１】第１実施形態のプロテクタをコネクタと共に示す斜視図。
【図２】図１に示したプロテクタを基板に装着した状態で示す断面図。
【図３】図１に示したプロテクタを基板に装着した状態で示す平面図。
【図４】図１に示したプロテクタを基板に装着した状態で示す断面図。
【図５】第２実施形態のプロテクタを基板に装着した状態で示す断面図。
【図６】第３実施形態のプロテクタを基板に装着した状態で示す断面図。
【図７】基板用コネクタを基板に装着した状態で示す断面図。
【符号の説明】
【００４１】
１  制御基板
２  プリント配線
３  カバー
４  配線
５  雌コネクタ
５ａ  端子
５ｂ  本体部分
６  雄コネクタ
７  隙間
８  工具
１０  第１実施形態のプロテクタ
１１  本体部分
１２  嵌合凹部
１３  貫通孔
１４  開口
２０  プロテクタ
２１  縦壁部分
３０  第３実施形態のプロテクタ
３１  係合爪（係合部分）
【図１】
2006246939.tif 000003
【図２】
2006246939.tif 000004
【図３】
2006246939.tif 000005
【図４】
2006246939.tif 000006
【図５】
2006246939.tif 000007
【図６】
2006246939.tif 000008
【図７】
2006246939.tif 000009